(57)【特許請求の範囲】
【請求項１】
消費財のための容器（４００）であって、前記容器（４００）が、
ボックス部分前部壁（４０４）、ボックス部分後部壁、第一および第二のボックス部分側壁（４０６）、およびボックス部分底部壁を備えるボックス部分（４０２）と、
ヒンジ線に沿って前記ボックス部分（４０２）の上端に従属するリッド部分（４０８）であって、前記リッド部分（４０８）が前記ヒンジ線を中心として開位置と閉位置との間で移動可能である、リッド部分（４０８）と、
前記ボックス部分（４０２）の中に摺動可能に受けられる内側フレーム（３００）であって、前記内側フレーム（３００）が、
第一および第二の側端を備える内側フレーム前部パネル（１２）と、
各々が内側フレーム側部パネルの折り目（２０）に沿って前記第一および第二の内側フレーム前部パネルの側端のそれぞれに従属する第一および第二の内側フレーム側部パネル（１８）であって、前記第一および第二の内側フレーム側部パネル（１８）の各々が前記それぞれの内側フレーム側部パネルの折り目（２０）から間隔を置いた後部端を備える第一および第二の内側フレーム側部パネル（１８）と、
各々がそれぞれの内側フレーム後部パネルの折り目（２８）に沿って前記第一および第二の内側フレーム側部パネル（１８）のそれぞれに従属する第一および第二の内側フレーム後部パネル（２６）であって、前記第一および第二の内側フレーム後部パネル（２６）が、内側フレーム後部壁（３０２）の少なくとも一部を形成し、また前記内側フレーム後部パネルの折り目（２８）の各々と前記それぞれの内側フレーム側部パネルの折り目（２０）との間の距離が、前記内側フレーム側部パネルの折り目（２０）と前記内側フレーム側部パネルの後部端との間である前記それぞれの内側フレーム側部パネル（１８）の最大幅より小さく、その結果、前記内側フレーム前部パネル（１２）と前記内側フレーム後部壁（３０２）との間の最小間隔が各内側フレーム側部パネル（１８）の前記最大幅より小さい、第一および第二の内側フレーム後部パネル（２６）と、を備える前記内側フレーム（３００）と、を備え、
前記内側フレーム後部壁（３０２）の一部分が、前記リッド部分（４０８）に接続され、その結果、前記リッド部分（４０８）が前記ヒンジ線を中心として移動する時、前記内側フレーム（３００）が前記ボックス部分（４０２）の中で、前記リッド部分（４０８）が前記開位置である時の持ち上げられた位置と前記リッド部分（４０８）が前記閉位置である時の下げられた位置との間で摺動し、
前記第一および第二の内側フレーム後部パネル（２６）が、前記内側フレーム後部壁（３０２）の下方部分（３０４）を形成する、前記内側フレーム（３００）が、
各々が内側フレーム中間パネルの折り目（３４）に沿って前記第一および第二の内側フレーム後部パネル（２６）のそれぞれの上端から延びる前記第一および第二の内側フレーム中間パネル（３２）が、前記内側フレーム後部壁（３０２）の中間部分（３０６）を形成する、第一および第二の内側フレーム中間パネル（３２）と、
各々が内側フレーム端部パネルの折り目（３８）に沿って前記第一および第二の内側フレーム中間パネル（３２）のそれぞれの上端から延びる第一および第二の内側フレーム端部パネル（３６）であって、前記第一および第二の内側フレーム端部パネル（３６）が、前記内側フレーム後部壁（３０２）の上方部分（３０８）を形成し、前記内側フレーム後部壁（３０２）の前記上方部分（３０８）が前記リッド部分（４０８）に接続される前記内側フレーム後部壁（３０２）の前記部分である、第一および第二の内側フレーム端部パネル（３６）と、をさらに備える、容器（４００）。
【請求項２】
前記第一および第二の内側フレーム後部パネル（２６）が、相互に少なくとも部分的に重なる、請求項１に記載の容器（４００）。
【請求項３】
前記第一および第二の内側フレーム中間パネル（３２）が少なくとも部分的に相互に重なり、かつ前記第一および第二の内側フレーム端部パネル（３６）が少なくとも部分的に相互に重なる、請求項１または２に記載の容器（４００）。
【請求項４】
前記第一および第二の内側フレーム側部パネル（１８）の各々が前記内側フレーム側部パネルの後部端と直角をなして延びる一対の間隔を置いた切断線（３０）を備え、各切断線（３０）が前記内側フレーム側部パネルの後部端における近位端と、前記内側フレーム側部パネルの後部端と前記内側フレーム側部パネルの折り目（２０）との間に位置付けられた遠位端との間に延び、かつそれぞれの内側フレーム後部パネルの折り目（２８）が前記それぞれの一対の間隔を置いた切断線（３０）の前記遠位端の間に延びる、請求項１〜３のいずれか１項に記載の容器（４００）。
【請求項５】
前記リッド部分（４０８）が前記ヒンジ線に沿って前記ボックス部分後部壁の上端に従属するリッド部分の後部壁を備え、前記リッド部分（４０８）に接続される前記内側フレーム後部壁（３０２）の前記部分が、前記リッド部分の後部壁に接続される、請求項１〜４のいずれか１項に記載の容器（４００）。
【請求項６】
前記内側フレーム前部パネル（１２）が、切り抜き部分（１４）を前記内側フレーム前部パネル（１２）の上端に、タブ部分（１６、１１６）を前記内側フレーム前部パネル（１２）の下部において備え、前記切り抜き部分（１４）と前記タブ部分（１６、１１６）とが同一のサイズおよび形状である、請求項１〜５のいずれか１項に記載の容器（４００）。
【請求項７】
前記タブ部分（１６）が、前記ボックス部分前部壁（４０４）と平行に延び、前記内側フレーム前部パネル（１２）の一部を形成する、請求項６に記載の容器（４００）。
【請求項８】
前記タブ部分（１１６）が、内側フレーム底部パネルの折り目（１１９）に沿って前記内側フレーム前部パネル（１２）の下部端に従属する内側フレーム底部パネル（１１７）を形成する、請求項６に記載の容器（４００）。
【請求項９】
前記タブ部分（１１６）が、第三の内側フレーム後部パネルの折り目（１２３）に沿って前記内側フレーム底部パネル（１１７）の後部端に従属する第三の内側フレーム後部パネル（１２１）をさらに形成し、前記第三の内側フレーム後部パネル（１２１）が、前記第一および第二の内側フレーム後部パネル（２６）のうちの少なくとも１つに接続されて前記内側フレーム後部壁（３０２）の一部を形成する、請求項８に記載の容器（４００）。
【請求項１０】
前記内側フレーム（３００）が、前記内側フレーム前部パネル（１２）の上に少なくとも１つのしるし（４１２）をさらに備え、前記内側フレーム（３００）が前記下げられた位置である時、前記少なくとも１つのしるし（４１２）が前記ボックス部分前部壁（４０４）によって隠され、前記内側フレーム（３００）が前記持ち上げられた位置へと摺動する時、前記少なくとも１つのしるし（４１２）が見える、請求項１〜９のいずれか１項に記載の容器（４００）。
【請求項１１】
各内側フレーム側部パネル（１８）の、前記それぞれの内側フレーム側部パネルの折り目（２０）と前記内側フレーム側部パネルの後部端との間の前記幅が、前記ボックス部分側壁（４０６）の、前記ボックス部分前部壁（４０４）の内部表面と前記ボックス部分後部壁の内部表面との間の幅と同一である、請求項１〜１０のいずれか１項に記載の容器（４００）。
【請求項１２】
前記内側フレーム（３００）が第一の折り曲げられた層状ブランク（１０、１００）から形成され、かつ前記ボックス部分（４０２）および前記リッド部分（４０８）が両方とも第二の折り曲げられた層状ブランクから形成される、請求項１〜１１のいずれか１項に記載の容器（４００）。
【請求項１３】
前記内側フレーム前部パネル（１２）と前記内側フレーム後部壁（３０２）との間で前記内側フレーム（３００）の中に受けられるエアロゾル発生物品（４１０）の束をさらに備える、請求項１〜１２のいずれか１項に記載の容器（４００）。
【発明の詳細な説明】
【技術分野】
【０００１】
本発明は、消費財のための容器であって、ボックス部分の中に受けられる内側フレームを有する容器に関し、内側フレームの後部壁はボックス部分の後部壁から間隔を置いている。本発明による容器には、エアロゾル発生物品などの細長い消費財用の容器としての特定の用途がある。
【背景技術】
【０００２】
細長いエアロゾル発生物品およびその他の消費財を、折り曲げられた層状ブランクから形成された容器内に包装することが知られている。紙巻たばこおよび葉巻たばこなどの細長いエアロゾル発生物品は一般に、エアロゾル発生物品を収容するボックスと、容器の後部壁を横切って延びるヒンジ線を中心としてボックスに接続されたリッドとを持つ、ヒンジリッドパック入りで販売される。ヒンジリッドパックは、ボックスの内部表面に固定される内側フレームも備えてもよく、内側フレームは前部壁および側壁を持ち、リッドはこれらに対して閉じる。こうしたパックは通常、層状の厚紙ブランクから構成される。使用時、リッドはヒンジ線を中心として回転してパックを開き、ボックス内に保持されているエアロゾル発生物品へのアクセスが得られる。
【０００３】
一部の場合では、容器の中で消費財によって占められる容積よりサイズが大きい容器を提供する必要性がある。この結果として容器の中に空のスペースをもたらされる場合があり、その結果輸送の間に消費財が容器の中で移動または振動される可能性がより高くなる。
【発明の概要】
【発明が解決しようとする課題】
【０００４】
容器内で実質的に消費財を定位置に保持し、消費財が容器の内部スペースの一部分のみを占める、消費財のための新規な容器を提供することが望ましい。容器が開いた時、容器からの消費財の取り出しを容易にするような容器を提供することがさらに望ましい。既存の容器設計または包装設備を著しく修正することなく容易に製造できるような容器を提供することが特に望ましい。
【課題を解決するための手段】
【０００５】
本発明の第一の態様によると、消費財用の容器が提供され、容器は、ボックス部分前部壁と、ボックス部分後部壁と、第一および第二のボックス部分側壁と、ボックス部分底部壁と、を備えるボックス部分を備える。容器は、ヒンジ線に沿ってボックス部分の上端に従属するリッド部分であって、リッド部分がヒンジ線を中心として開位置と閉位置との間で移動可能である、リッド部分も備える。内側フレームは、ボックス部分の中に摺動可能に受けられ、内側フレームは、第一および第二の側端を備える内側フレーム前部パネルと、各々が内側フレーム側部パネルの折り目に沿って、第一および第二の内側フレーム前部パネルの側端にそれぞれ従属する第一および第二の内側フレーム側部パネルと、を備える。第一および第二の内側フレーム側部パネルの各々は、それぞれの内側フレーム側部パネルの折り目から間隔を置いた後部端を備える。内側フレームは、各々がそれぞれの内側フレーム後部パネルの折り目に沿って第一および第二の内側フレーム側部パネルのそれぞれに従属する第一および第二の内側フレーム後部パネルをさらに備え、第一および第二の内側フレーム後部パネルは、内側フレーム後部壁の少なくとも一部を形成する。内側フレーム後部パネルの折り目の各々とそれぞれの内側フレーム側部パネルの折り目との間の距離は、内側フレーム側部パネルの折り目と内側フレーム側部パネルの後部端との間である、それぞれの内側フレーム側部パネルの最大幅より小さく、その結果内側フレーム前部パネルと内側フレーム後部壁との間の最小間隔は、各内側フレーム側部パネルの最大幅より小さい。内側フレーム後部壁の一部分が、リッド部分に接続され、その結果、リッド部分がヒンジ線を中心として移動する時、ボックス部分の中で内側フレームが、リッド部分が開位置である時の持ち上げられた位置とリッド部分が閉位置である時の下げられた位置との間で摺動する。
【０００６】
本明細書で使用される場合、本発明による容器の構成要素の相対的位置を記述するために使用される「側部」、「上部」、「下部」、「前部」、「後部」およびその他の用語は、リッド部分が上部にあり、ボックス部分の底部壁が下部にある直立位置にある容器について言及するものである。本発明による容器を記述する時、描写する容器の向きに関係なく、これらの用語が使用される。
【０００７】
本明細書に使用される場合、「ヒンジ線」という用語は、２つの要素がこれを中心として相互に対して回転しうる線を意味する。ヒンジ線は、例えば、容器の壁またはパネル内の折り目、穿孔線、または横罫線であってもよい。ヒンジ線が穿孔線である場合、穿孔線は、容器の部品を取り外すために使用されてもよい。
【０００８】
本明細書で使用される場合、「パネル」という用語は、材料の単一の連続した部分から形成される容器の一部分を意味する。パネルは、１つ以上の折り目に沿って１つ以上の他のパネルに従属してもよい。「フラップ」という用語は、１つの折り目のみに沿って１つの他のパネルのみに従属するパネルを意味する。
【０００９】
「壁」という用語は、より一般的に容器の面を意味し、また壁は単一のパネルまたはフラップから形成されてもよく、または壁は２つ以上の隣接するまたは重なり合うパネルまたはフラップから形成されてもよい。
【００１０】
本発明による容器は、内側フレーム前部パネルと内側フレーム後部壁との間が内側フレーム側部パネルの最大幅より小さい最小限の間隔を有する内側フレームを備える。したがって、内側フレーム後部壁は、有利なことにボックス部分後部壁から間隔を置き、その結果内側フレームは、内側フレーム前部パネルと内側フレーム後部壁との間に消費財を受けるための容積を画定し、この容積は容器の全容積より小さい。したがって、本発明による容器は、有利なことに、容器の全容積より小さいスペースしか占めない消費財をボックス部分の中でより安全に定位置に保持することができる。したがって、容器の中での保存中の消費財の移動を最小化して、消費財の損傷を防止することができる。有利なことに、エアロゾル発生物品などの細長い消費財は、消費財へのアクセスおよび消費財の容器から取り出しを容易にするために、直立位置でかつ相互に実質的に整列した状態で保持されてもよい。
【００１１】
さらに、本発明による容器は、リッド部分に接続された内側フレーム後部壁の一部分を備え、その結果、リッド部分がヒンジ線を中心として移動する時、内側フレームはボックス部分の中で摺動する。したがって、リッド部分を開けると、有利なことに、内側フレームを持ち上げられた位置へと摺動し、これが容器の中の消費財へのより簡単なアクセスを容易にする。例えば、内側フレームは、底部壁を備えてもよく、これは内側フレームが持ち上げられた位置へと摺動する時、消費財をよりアクセス可能な位置へと上向きに押す。追加的にまたは別の方法として、消費財はラッパーの中に収容されてもよく、例えば、ラッパーの一部分は内側フレームに接着され、その結果、内側フレームが持ち上げられた位置へと摺動する時、その中に収容されたラッパーおよび消費財は上向きに移動する。
【００１２】
有利なことに、本発明による容器の構成、および特に内側フレームの構築は、その結果、既存の高速製造および包装機械での容器の製造を最小限の修正で容易にする。
【００１３】
第一および第二の内側フレーム後部パネルは、相互から間隔を置いてもよく、またはこれらは相互に隣接してもよい。あるいは、第一および第二の内側フレーム後部パネルは、相互に少なくとも部分的に重なることが好ましい。第一および第二の内側フレーム後部パネルの重なりは、内側フレーム後部壁の少なくとも一部分に対して二倍の厚さを提供し、これは内側フレーム後部壁に強度の増加を提供する。特に好ましい実施形態では、第一および第二の内側フレーム後部パネルの各々の幅は、第一の内側フレーム側部パネルと第二の内側フレーム側部パネルとの間の距離と実質的に同一であり、その結果第一および第二の内側フレーム後部パネルは、第一および第二の内側フレーム後部パネルの各々の実質的に全面にわたって相互に重なる。
【００１４】
上述の実施形態のいずれかでは、第一および第二の内側フレーム後部パネルのうちの少なくとも１つは、リッド部分に接続された内側フレーム後部壁の一部分を形成してもよい。例えば、第一および第二の内側フレーム後部パネルが相互に重なる実施形態では、リッド部分に隣接する内側フレーム後部パネルはリッド部分に接続されてもよい。
【００１５】
あるいは、一部の実施形態では、第一および第二の内側フレーム後部パネルは、内側フレーム後部壁の下方部分を形成し、内側フレームは、各々が内側フレーム端部パネルの折り目に沿って第一および第二の内側フレーム後部パネルのそれぞれの上端から延びる第一および第二の内側フレーム端部パネルをさらに備え、第一および第二の内側フレーム端部パネルが、内側フレーム後部壁の上方部分を形成し、かつ内側フレーム後部壁の上方部分が、リッド部分に接続される内側フレーム後部壁の部分である。内側フレーム後部壁が比較的硬い材料で構築される実施形態では、リッド部分に接続され、かつ折り目に沿って内側フレーム後部壁の下方部分に従属する内側フレーム後部壁の上方部分を提供することは、内側フレーム後部壁内にリッド部分の開放と閉鎖との間に必要とされる内側フレーム後部壁の動きを容易にする関節を提供する。
【００１６】
内側フレームが第一および第二の内側フレーム端部パネルを備える実施形態では、第一および第二の内側フレーム端部パネルが相互に少なくとも部分的に重なることが好ましく、相互に実質的に完全に重なることが最も好ましい。第一の内側フレーム端部パネルと第二の内側フレーム端部パネルとの重なりは、内側フレーム後部壁の上方部分の少なくとも一部に対して二倍の厚さを提供し、これは内側フレーム後部壁に強度の増加を提供する。
【００１７】
さらなる代替的な実施形態では、第一および第二の内側フレーム後部パネルは内側フレーム後部壁の下方部分を形成してもよく、内側フレームは各々が内側フレーム中間パネルの折り目に沿って第一および第二の内側フレーム後部パネルのそれぞれの上端から延びる第一および第二の内側フレーム中間パネルをさらに備え、第一および第二の内側フレーム中間パネルが内側フレーム後部壁の中間部分を形成する。こうした実施形態では、内側フレームは、各々が内側フレーム端部パネルの折り目に沿って第一および第二の内側フレーム中間パネルのそれぞれの上端から延びる第一および第二の内側フレーム端部パネルをさらに備え、第一および第二の内側フレーム端部パネルが、内側フレーム後部壁の上方部分を形成し、かつ内側フレーム後部壁の上方部分が、リッド部分に接続される内側フレーム後部壁の部分である。
【００１８】
折り目に沿って内側フレーム後部壁の下方部分に従属する内側フレーム後部壁の中間部分、および折り目に沿って内側フレーム後部壁の中間部分に従属する内側フレーム後部壁の上方部分を提供することは、内側フレーム後部壁内に２つの関節点を提供する。２つの関節点を有する内側フレーム後部壁を提供することは、リッド部分の開放と閉鎖との間の、リッド部分の回転的な移動から内側フレームの平行移動的な摺動移動への変換を最適化する。内側フレーム後部壁が比較的硬い材料で構築される実施形態では、２つの関節点を有する内側フレーム後部壁を提供することは、リッド部分の開放と閉鎖との間に必要とされる内側フレーム後部壁の移動も容易にする場合がある。
【００１９】
内側フレームが第一および第二の内側フレーム中間パネルおよび第一および第二の内側フレーム端部パネルを備える実施形態では、第一および第二の内側フレーム中間パネルは、相互に少なくとも部分的に重なることが好ましく、相互に実質的に完全に重なることが最も好ましい。追加的にまたは別の方法として、第一および第二の内側フレーム端部パネルは相互に少なくとも部分的に重なることが好ましく、相互に実質的に完全に重なることが最も好ましい。第一の内側フレーム中間パネルと第二の内側フレーム中間パネルとの重なりは、内側フレーム後部壁の中間部分の少なくとも一部に対して二倍の厚さを提供し、これは内側フレーム後部壁に強度の増加を提供する。同様に、第一の内側フレーム端部パネルと第二の内側フレーム端部パネルとの重なりは、内側フレーム後部壁の上方部分の少なくとも一部に対して二倍の厚さを提供し、これは内側フレーム後部壁に強度の増加を提供する。
【００２０】
追加的にまたは別の方法として、内側フレーム端部パネルの折り目は、リッド部分が閉位置である時に、リッド部分とボックス部分との間のヒンジ線の下方に位置付けられることが好ましい。内側フレーム端部パネルの折り目をヒンジ線の下方に位置付けることは、リッド部分の開放と閉鎖との間のリッド部分の回転的な移動から内側フレームの平行移動的な摺動移動への最適な変換を提供する。
【００２１】
上述の実施形態のいずれかでは、内側フレーム前部パネルと内側フレーム後部壁との間の最小間隔は、ボックス部分前部壁とボックス部分後部壁との間の間隔の約８０パーセント未満であることが好ましく、ボックス部分前部壁とボックス部分後部壁との間の間隔の約７０パーセント未満であることが好ましい。内側フレーム前部パネルと内側フレーム後部壁との間にこうした間隔を提供することは、リッド部分が開位置と閉位置との間で移動する時、内側フレームの摺動移動を容易にするために、ボックス部分後部壁と内側フレーム後部壁の少なくとも一部分との間に十分なスペースを提供する。
【００２２】
上述の実施形態のいずれかでは、内側フレーム後部壁のリッド部分に接続される部分は、リッド部分の少なくとも一部と一体的に形成されてもよい。あるいは、内側フレーム後部壁のリッド部分に接続される部分はリッド部分から分離して形成され、その後リッド部分へと接続されてもよい。例えば、内側フレーム後部壁の一部分は、適切な接着剤を使用してリッド部分に接着されてもよい。
【００２３】
上述の実施形態のいずれかでは、それぞれの内側フレーム側部パネルの折り目と内側フレーム側部パネルの後部端との間の各内側フレーム側部パネルの幅は、ボックス部分前部壁の内部表面とボックス部分後部壁の内部表面との間の、ボックス部分側壁の幅と実質的に同一であることが好ましい。ボックス部分側壁の幅と実質的に同一の内側フレーム側部パネルの最大幅で内側フレームを形成することは、リッド部分の開放と閉鎖との間のボックス部分に対する上向きおよび下向きの摺動移動での内側フレームの移動を有利なことに制限する。
【００２４】
上述の実施形態のいずれかでは、第一および第二の内側フレーム側部パネルは、各々内側フレーム側部パネルの後部端と直角をなして延びる一対の間隔を置いた切断線を備え、各切断線は、内側フレーム側部パネルの後部端における近位端と、内側フレーム側部パネルの後部端と内側フレーム側部パネルの折り目との間に位置付けられた遠位端との間に延び、かつ各内側フレーム後部パネルの折り目はそれぞれの一対の間隔を置いた切断線の遠位端の間に延びる。切断線および折り目のこうした配列を提供することは、内側フレーム前部パネルと内側フレーム後部壁との間の最小間隔の減少を提供する一方で、内側フレーム前部パネルと内側フレーム後部壁との間の減少された間隔より大きい内側フレーム側部パネルの最大幅を保持する。内側フレーム側部パネルの最大幅がボックス部分側壁の幅と実質的に同一である実施形態では、これは特に有利である。こうした切断線と折り目の配列を提供することは、高速製造機械での容器の製造も容易にする場合がある。
【００２５】
上述の実施形態のいずれかでは、リッド部分はヒンジ線に沿ってボックス部分後部壁の上端に従属するリッド部分後部壁を備えてもよく、また内側フレーム後部壁のリッド部分に接続される部分はリッド部分後部壁に接続されてもよい。ヒンジ線に沿ってボックス部分後部壁上端に従属するリッド部分を提供することは、リッドが閉位置である時に、望ましいことに従来のヒンジリッド容器の外観を有する容器を提供しうる。ヒンジ線に沿ってボックス部分後部壁上端に従属するリッド部分を提供することは、最小限の修正による既存の高速製造機械での容器の製造も容易にするだけでなく、容器のラップおよび梱包ならびに販売場所における容器の陳列などの下流プロセスの修正の必要性も除去する場合がある。
【００２６】
上述の実施形態のいずれかでは、内側フレーム前部パネルは、内側フレーム前部パネル部分の上端における切り抜き部分および内側フレーム前部パネルの下部端におけるタブ部分を備え、切り抜き部分とタブ部分とが実質的に同一のサイズおよび形状を備えることが好ましい。切り抜き部分を内側フレーム前部パネルの上部に提供することは、内側フレームの中に収容される消費財へのアクセスを改善する場合があり、したがって消費者による容器からの消費財の取り出しを容易にする場合がある。さらに、対応するタブ部分を内側フレーム前部パネルの下部に提供することは、複数の内側フレームの実質的に連続的なシート材料からの製造を容易にする。特に、第一の内側フレームのタブ部分およびこれに続く内側フレームの切り抜き部分を形成するために単一の切断線を使用することができ、これは廃材の発生を減少または除去する。
【００２７】
内側フレームが切り抜き部分およびタブ部分を備える実施形態では、タブ部分は内側フレーム底部パネルの折り目に沿って内側フレーム前部パネルの下部端に従属する内側フレーム底部パネルを形成してもよい。こうした実施形態では、内側フレーム底部パネルは、内側フレーム底部壁の少なくとも一部を形成する。有利なことに、内側フレーム底部壁は、内側フレームの中で消費財を支持し、かつ内側フレームが持ち上げられた位置へと移動する時に、容器の中で消費財を上向きに押してもよい。
【００２８】
タブ部分が内側フレーム底部パネルを形成する実施形態では、タブ部分は、第三の内側フレーム後部パネルの折り目に沿って内側フレーム底部パネルの後部端に従属する第三の内側フレーム後部パネルをさらに形成してもよく、第三の内側フレーム後部パネルは、内側フレーム後部壁の一部を形成するように第一および第二の内側フレーム後部パネルのうちの少なくとも１つに接続される。有利なことに、第三の内側フレーム後部パネルは、内側フレーム底部パネルを定位置に保持するように、内側フレーム底部パネルの後部端を内側フレーム後部壁に固定する。
【００２９】
タブ部分が内側フレーム底部パネルを形成する実施形態の代替として、タブ部分はボックス部分前部壁と平行に延び、内側フレーム前部パネルの一部を形成してもよい。こうした実施形態は有利なことに、タブ部分が少なくとも内側フレーム底部パネルを形成する実施形態と比較する時、内側フレームを形成するために必要とされる材料の量を減少させうる。
【００３０】
上述の実施形態のいずれかでは、内側フレームは、内側フレーム前部パネルの上に少なくとも１つのしるしをさらに備えてもよく、内側フレームが下げられた位置である時に、少なくとも１つのしるしはボックス部分前部壁によって隠され、また内側フレームが持ち上げられた位置へと摺動する時に、少なくとも１つのしるしが見える。少なくとも１つのしるしは、グラフィックおよびテキストのうちの少なくとも１つを備えてもよい。
【００３１】
上述の実施形態のいずれかでは、内側フレームは、第一の折り曲げられた層状ブランクから形成されることが好ましく、またボックス部分およびリッド部分は、両方とも第二の折り曲げられた層状ブランクから形成されることが好ましい。容器を形成する２つの層状ブランクのみを使用することは、容器の製造を単純化し、かつ既存の高速製造機械での最小限の修正による容器の製造を容易にする。
【００３２】
本発明による容器は、各々が２つのより幅の狭い壁によって間隔を置いた２つのより幅の広い壁を備える、直方体であることが好ましい。２つのより幅の広い壁は通常、前部壁および後部壁であり、２つのより幅の狭い壁は通常、側壁である。
【００３３】
容器は厚紙、板紙、プラスチック、金属、またはその組み合わせを含むがこれに限定されない、任意の適切な材料から形成されてもよい。上述のとおり、内側フレーム、ボックス部分、およびリッド部分は、折り曲げられた層状ブランクから形成されることが好ましい。層状ブランクは、厚紙から形成されることが好ましく、厚紙の坪量は、約１００グラム／平方メートル〜約３５０グラム／平方メートルであることが最も好ましい。
【００３４】
一部の実施形態で、組み立てられ充填されたそれぞれの容器は外側ラッパー内に包装されうる。外側ラッパーは例えば、高密度または低密度のポリエチレン、ポリプロピレン、方向性ポリプロピレン、ポリ塩化ビニリデン、セルロースフィルム、またはその組み合わせの透明高分子フィルムであることが好ましく、また外側ラッパーは従来的な方法で適用される。外側ラッパーは開封テープを含みうる。さらに、外側ラッパーは画像、消費者情報またはその他のデータとともに印刷しうる。
【００３５】
上述のとおり、本発明による容器は直方体の形状としてもよく、長軸方向の直角の端および横断する直角の端を備えてもよい。別の方法として、容器は一つ以上の長軸方向の丸み付きの端、横断する丸み付きの端、長軸方向の面取り付きの端、もしくは横断する面取り付きの端、またはその組み合わせを備えてもよい。
【００３６】
容器が一つ以上の面取り付きの端を備える場合、面取り付きの端の幅は、約１ミリメートル〜約１０ミリメートルであることが好ましく、約２ミリメートル〜約６ミリメートルであることが好ましい。別の方法として、容器は、２つの明確な面取りが容器の端の上に形成されるように間隔を置いた、３本の平行な縦罫線または横罫線によって形成された二重面取りを含んでもよい。
【００３７】
別の方法として、容器は、例えば、多角形（三角形または六角形など）、または半楕円形、または半円形といった、非長方形の横断断面を持ちうる。
【００３８】
本発明による容器の幅は約４０ミリメートル〜約１００ミリメートルであることが好ましく、幅が約５０ミリメートル〜約９０ミリメートルであることがより好ましく、幅は、容器の一方の側壁からもう一方の側壁まで測定される。
【００３９】
本発明による容器の奥行きは約６ミリメートル〜約１５０ミリメートルであることが好ましく、奥行きが約１２ミリメートル〜約２５ミリメートルであることがより好ましく、奥行きは、容器の前部壁から後部壁まで測定される。
【００４０】
容器の高さ対容器の奥行きの比は、約１対１〜約１０対１であることが好ましく、約２対１〜約８対１であることがより好ましく、約３対１〜約５対１であることが最も好ましい。
【００４１】
容器の幅対容器の奥行きの比は、約１対１〜約１０対１であることが好ましく、約２対１〜約８対１であることがより好ましく、約２対１〜約３対１であることが最も好ましい。
【００４２】
上述の実施形態のいずれかでは、容器は内側フレームの中に受けられた１つ以上の消費財を内側フレーム前部パネルと内側フレーム後部壁との間に含んでもよい。
【００４３】
一部の実施形態では、１つ以上の消費財はエアロゾル発生物品を含む。「エアロゾル発生物品」という用語は、本明細書では、加熱時にエアロゾルを形成する少なくとも１つの基体を含む物品を意味するために使用される。当業者にとっては周知の通り、エアロゾルは、固体粒子または液体小滴が空気などのガス中に浮遊したものである。エアロゾルは、空気などのガス中に固体粒子および液体小滴が浮遊したものでありうる。例えば、エアロゾル発生物品は、電気的に作動する喫煙システムで使用するための物品であってもよい。この場合には、エアロゾル発生物品は、基体が加熱された時にニコチンを含むエアロゾルを発生させるたばこまたはその他のニコチン含有基体を含みうる。あるいは、エアロゾル発生物品は、フィルター紙巻たばこなどのより従来的な喫煙物品を含みうる。
【００４４】
一部の実施形態では、１つ以上の消費財ラッパーの中に包まれてもよい。内側フレームが内側フレーム底部パネルを備えていない実施形態では、ラッパーの少なくとも一部分は、内側フレームの少なくとも一部分に固定されることが好ましく、その結果内側フレームが持ち上げられた位置と下げられた位置との間で移動すると、１つ以上の消費財はボックス部分の中で上向きおよび下向きに移動する。例えば、容器はラッパーの前部部分を内側フレーム前部パネルに固定する接着剤の１つ以上の区域を備えてもよい。追加的にまたは別の方法として、内側フレームが内側フレーム底部パネルを備えていない実施形態では、ラッパーは消費財の周りに「Ｕ字形状」構成で折り曲げられることが好ましく、その結果ラッパーは、折り目に沿ってラッパー前部パネルおよびラッパー後部パネルに従属するラッパー底部パネルを備える。Ｕ字形状ラッパー構成を使用することは、包装折りなどの折り曲げを除去する場合があり、ラッパーの下部を形成し、そして消費財がラッパーの下部および内側フレームの下部を通して落下するリスクを減少させる。
【００４５】
本発明による容器の内側フレームの特定の構成は、ボックス部分後部壁から内側フレーム後部壁の間隔、およびボックス部分に対する内側フレームの摺動移動を提供し、一方で既存の高速製造機械での最小限の修正による容器の製造を容易にする。特に一部の実施形態では、本発明による容器のボックス部分およびリッド部分は、従来のヒンジリッド容器のボックス部分およびリッド部分と実質的に同一であってもよい。
【００４６】
したがって、本発明の第二の態様によると、消費財のための容器のための内側フレームが提供され、内側フレームは、第一および第二の側端を備える内側フレーム前部パネルを備え、第一および第二の内側フレーム側部パネルは、各々内側フレーム側部パネルの折り目に沿って第一および第二の内側フレーム前部パネル側端のそれぞれに従属する。第一および第二の内側フレーム側部パネルの各々は、それぞれの内側フレーム側部パネルの折り目から間隔を置いた後部端を備える。内側フレームは、各々がそれぞれの内側フレーム後部パネルの折り目に沿って第一および第二の内側フレーム側部パネルのそれぞれに従属する第一および第二の内側フレーム後部パネルをさらに備え、第一および第二の内側フレーム後部パネルは、内側フレーム後部壁の少なくとも一部を形成する。内側フレーム後部パネルの折り目の各々とそれぞれの内側フレーム側部パネルの折り目との間の距離は、内側フレーム側部パネルの折り目と内側フレーム側部パネルの後部端との間である、それぞれの内側フレーム側部パネルの最大幅より小さく、その結果内側フレーム前部パネルと内側フレーム後部壁との間の最小間隔は、各内側フレーム側部パネルの最大幅より小さい。
【００４７】
有利なことに、内側フレームの構成は既存の高速製造機械での最小限の修正による内側フレームの製造を容易にする。
【００４８】
第一および第二の内側フレーム後部パネルは、相互から間隔を置いてもよく、またはこれらは相互に隣接してもよい。あるいは、第一および第二の内側フレーム後部パネルは、相互に少なくとも部分的に重なることが好ましい。第一および第二の内側フレーム後部パネルの重なりは、内側フレーム後部壁の少なくとも一部分に対して二倍の厚さを提供し、これは内側フレーム後部壁に強度の増加を提供する。特に好ましい実施形態では、第一および第二の内側フレーム後部パネルの各々の幅は、第一の内側フレーム側部パネルと第二の内側フレーム側部パネルとの間の距離と実質的に同一であり、その結果第一および第二の内側フレーム後部パネルは、第一および第二の内側フレーム後部パネルの各々の実質的に全面にわたって相互に重なる。
【００４９】
消費財のための容器を形成するために使用される時、第一および第二の内側フレーム後部パネルのうちの少なくとも１つはリッド部分を接続する内側フレーム後部壁の一部分を形成する場合がある。
【００５０】
あるいは、一部の実施形態では、第一および第二の内側フレーム後部パネルは、内側フレーム後部壁の下方部分を形成し、内側フレームは、各々が内側フレーム端部パネルの折り目に沿って第一および第二の内側フレーム後部パネルのそれぞれの上端から延びる第一および第二の内側フレーム端部パネルをさらに備え、第一および第二の内側フレーム端部パネルが、内側フレーム後部壁の上方部分を形成し、また内側フレーム後部壁の上方部分が、消費財のための容器を形成するために内側フレームが使用される時、リッド部分に接続してもよい内側フレーム後部壁の部分である。リッド部分に接続してもよく、また折り目に沿って内側フレーム後部壁の下方部分に従属してもよい内側フレーム後部壁の上方部分を提供することは、内側フレーム後部壁が比較的硬い材料で構築される実施形態において、リッド部分の開放と閉鎖との間で、内側フレーム後部壁の必要とされる移動を容易にしうる内側フレーム後部壁に関節動作を提供する。
【００５１】
内側フレームが第一および第二の内側フレーム端部パネルを備える実施形態では、第一および第二の内側フレーム端部パネルが相互に少なくとも部分的に重なることが好ましく、相互に実質的に完全に重なることが最も好ましい。第一の内側フレーム端部パネルと第二の内側フレーム端部パネルとの重なりは、内側フレーム後部壁の上方部分の少なくとも一部に対して二倍の厚さを提供し、これは内側フレーム後部壁に強度の増加を提供する。
【００５２】
さらなる代替的な実施形態では、第一および第二の内側フレーム後部パネルは内側フレーム後部壁の下方部分を形成してもよく、内側フレームは各々が内側フレーム中間パネルの折り目に沿って第一および第二の内側フレーム後部パネルのそれぞれの上端から延びる第一および第二の内側フレーム中間パネルをさらに備え、第一および第二の内側フレーム中間パネルが内側フレーム後部壁の中間部分を形成する。こうした実施形態では、内側フレームは、各々が内側フレーム端部パネルの折り目に沿って第一および第二の内側フレーム中間パネルのそれぞれの上端から延びる第一および第二の内側フレーム端部パネルをさらに備え、第一および第二の内側フレーム端部パネルは内側フレーム後部壁の上方部分を形成し、内側フレーム後部壁の上方部分は、消費財のための容器を形成するために内側フレームが使用される時、リッド部分に接続してもよい内側フレーム後部壁の部分である。
【００５３】
折り目に沿って内側フレーム後部壁の下方部分に従属する内側フレーム後部壁の中間部分、および折り目に沿って内側フレーム後部壁の中間部分に従属する内側フレーム後部壁の上方部分を提供することは、内側フレーム後部壁内に２つの関節点を提供する。２つの関節点を有する内側フレーム後部壁を提供することは、リッド部分の開放と閉鎖との間の、リッド部分の回転的な移動から内側フレームの平行移動的な摺動移動への変換を最適化する場合がある。内側フレーム後部壁が比較的硬い材料で構築される実施形態では、２つの関節点を有する内側フレーム後部壁を提供することは、リッド部分の開放と閉鎖との間に必要とされる内側フレーム後部壁の移動も容易にする場合がある。
【００５４】
内側フレームが第一および第二の内側フレーム中間パネルおよび第一および第二の内側フレーム端部パネルを備える実施形態では、第一および第二の内側フレーム中間パネルは、相互に少なくとも部分的に重なることが好ましく、相互に実質的に完全に重なることが最も好ましい。追加的にまたは別の方法として、第一および第二の内側フレーム端部パネルは相互に少なくとも部分的に重なることが好ましく、相互に実質的に完全に重なることが最も好ましい。第一の内側フレーム中間パネルと第二の内側フレーム中間パネルとの重なりは、内側フレーム後部壁の中間部分の少なくとも一部に対して二倍の厚さを提供し、これは内側フレーム後部壁に強度の増加を提供する。同様に、第一の内側フレーム端部パネルと第二の内側フレーム端部パネルとの重なりは、内側フレーム後部壁の上方部分の少なくとも一部に対して二倍の厚さを提供し、これは内側フレーム後部壁に強度の増加を提供する。
【００５５】
上述の実施形態のいずれかでは、第一および第二の内側フレーム側部パネルは、各々内側フレーム側部パネルの後部端と直角をなして延びる一対の間隔を置いた切断線を備え、各切断線は、内側フレーム側部パネルの後部端における近位端と、内側フレーム側部パネルの後部端と内側フレーム側部パネルの折り目との間に位置付けられた遠位端との間に延び、かつ各内側フレーム後部パネルの折り目はそれぞれの一対の間隔を置いた切断線の遠位端の間に延びる。切断線および折り目のこうした配列を提供することは、内側フレーム前部パネルと内側フレーム後部壁との間の最小間隔の減少を提供する一方で、内側フレーム前部パネルと内側フレーム後部壁との間の減少された間隔より大きい内側フレーム側部パネルの最大幅を保持する。内側フレーム側部パネルの最大幅がボックス部分側壁の幅と実質的に同一である実施形態では、消費財のための容器を構築するために内側フレームが使用される時に、これは特に有利である。切断線および折り目のこうした配列を提供することは、高速製造機械での内側フレームの製造も容易にする場合がある。
【００５６】
上述の実施形態のいずれかでは、内側フレーム前部パネルは、内側フレーム前部パネル部分の上端における切り抜き部分および内側フレーム前部パネルの下部端におけるタブ部分を備え、切り抜き部分とタブ部分とが実質的に同一のサイズおよび形状を備えることが好ましい。切り抜き部分を内側フレーム前部パネルの上部に提供することは、内側フレームの中に収容される消費財へのアクセスを改善する場合があり、したがって消費者による内側フレームからの消費財の取り出しを容易にする場合がある。さらに、対応するタブ部分を内側フレーム前部パネルの下部に提供することは、複数の内側フレームの実質的に連続的なシート材料からの製造を容易にする。特に、第一の内側フレームのタブ部分およびこれに続く内側フレームの切り抜き部分を形成するために単一の切断線を使用することができ、これは廃材の発生を減少または除去する。
【００５７】
内側フレームが切り抜き部分およびタブ部分を備える実施形態では、タブ部分は内側フレーム底部パネルの折り目に沿って内側フレーム前部パネルの下部端に従属する内側フレーム底部パネルを形成してもよい。こうした実施形態では、内側フレーム底部パネルは、内側フレーム底部壁の少なくとも一部を形成する。有利なことに、内側フレーム底部壁は、内側フレームの中に受けられた消費財を支持しうる。
【００５８】
タブ部分が内側フレーム底部パネルを形成する実施形態では、タブ部分は、第三の内側フレーム後部パネルの折り目に沿って内側フレーム底部パネルの後部端に従属する第三の内側フレーム後部パネルをさらに形成してもよく、第三の内側フレーム後部パネルは、内側フレーム後部壁の一部を形成するように第一および第二の内側フレーム後部パネルのうちの少なくとも１つに接続される。有利なことに、第三の内側フレーム後部パネルは、内側フレーム底部パネルを定位置に保持するように、内側フレーム底部パネルの後部端を内側フレーム後部壁に固定する。
【００５９】
タブ部分が内側フレーム底部パネルを形成する実施形態の代替として、タブ部分は内側フレーム前部パネルの一部を形成してもよい。こうした実施形態は有利なことに、タブ部分が少なくとも内側フレーム底部パネルを形成する実施形態と比較する時、内側フレームを形成するために必要とされる材料の量を減少させうる。
上述の実施形態のいずれかでは、内側フレームは単一の折り曲げられた層状ブランクから形成されることが好ましい。内側フレームを形成するために単一の層状ブランクを使用することは、内側フレームの製造を単純化し、かつ既存の高速製造機械での最小限の修正による内側フレームの製造を容易にする。
【００６０】
層状ブランクは、厚紙から形成されることが好ましく、厚紙の坪量は、約１００グラム／平方メートル〜約３５０グラム／平方メートルであることが最も好ましい。
【００６１】
上述のとおり、本発明により形成された内側フレームは、実質的に連続的なシート材料からの複数の内側フレームの製造を容易にする。したがって、本発明の第三の実施形態によると、消費財のための容器のための複数の内側フレームを形成するための一巻きの層状ブランクが提供され、一巻きの層状ブランクは、シート材料の上流端と下流端との間に延びる長さを持つシート材料から形成される。層状ブランクはシート材料の長さに沿って連続して形成され、各々の層状ブランクの下流端は隣接する層状ブランクの上流端を下流方向に形成し、その結果隣接する層状ブランクの間に実質的に廃材が存在しない。各々の層状ブランクは、折り曲げられた時、層状ブランクが、第一および第二の側端を備える内側フレーム前部パネルと、各々が内側フレーム側部パネルの折り目に沿って、第一および第二の内側フレーム前部パネルの側端にそれぞれ従属する第一および第二の内側フレーム側部パネルと、を備える内側フレームを形成するように構成される。第一および第二の内側フレーム側部パネルの各々は、それぞれの内側フレーム側部パネルの折り目から間隔を置いた後部端を備える。内側フレームは、各々がそれぞれの内側フレーム後部パネルの折り目に沿って第一および第二の内側フレーム側部パネルのそれぞれに従属する第一および第二の内側フレーム後部パネルをさらに備え、第一および第二の内側フレーム後部パネルは、内側フレーム後部壁の少なくとも一部を形成する。内側フレーム後部パネルの折り目の各々とそれぞれの内側フレーム側部パネルの折り目との間の距離は、内側フレーム側部パネルの折り目と内側フレーム側部パネルの後部端との間である、それぞれの内側フレーム側部パネルの最大幅より小さく、その結果内側フレーム前部パネルと内側フレーム後部壁との間の最小間隔は、各内側フレーム側部パネルの最大幅より小さい。
【００６２】
各々の層状ブランクは、層状ブランクが折り曲げられた時、第一および第二の内側フレーム後部パネルが相互から間隔を置くように構成されてもよい。あるいは、各々の層状ブランクは、層状ブランクが折り曲げられた時、第一および第二の内側フレーム後部パネルが相互に隣接するように構成されてもよい。
【００６３】
あるいは、各々の層状ブランクは、層状ブランクが折り曲げられた時、第一および第二の内側フレーム後部パネルが相互に少なくとも部分的に重なるように構成されることが好ましい。第一および第二の内側フレーム後部パネルの重なりは、内側フレーム後部壁の少なくとも一部分に対して二倍の厚さを提供し、これは内側フレーム後部壁に強度の増加を提供する。特に好ましい実施形態では、第一および第二の内側フレーム後部パネルの各々の幅は、第一の内側フレーム側部パネルと第二の内側フレーム側部パネルとの間の距離と実質的に同一であり、その結果第一および第二の内側フレーム後部パネルは、第一および第二の内側フレーム後部パネルの各々の実質的に全面にわたって相互に重なる。
【００６４】
消費財のための容器を形成するために使用される時、第一および第二の内側フレーム後部パネルのうちの少なくとも１つはリッド部分を接続する内側フレーム後部壁の一部分を形成する場合がある。
【００６５】
あるいは、一部の実施形態では、各々の層状ブランクは、層状ブランクが折り曲げられた時、第一および第二の内側フレーム後部パネルが、内側フレーム後部壁の下方部分を形成し、内側フレームは、各々が内側フレーム端部パネルの折り目に沿って第一および第二の内側フレーム後部パネルのそれぞれの上端から延びる第一および第二の内側フレーム端部パネルをさらに備え、第一および第二の内側フレーム端部パネルは、内側フレーム後部壁の上方部分を形成し、また内側フレーム後部壁の上方部分は、消費財のための容器を形成するために内側フレームが使用される時、リッド部分に接続してもよい内側フレーム後部壁の部分となるように構成される。リッド部分に接続してもよく、また折り目に沿って内側フレーム後部壁の下方部分に従属してもよい内側フレーム後部壁の上方部分を提供することは、内側フレーム後部壁が比較的硬い材料で構築される実施形態において、リッド部分の開放と閉鎖との間で、内側フレーム後部壁の必要とされる移動を容易にしうる内側フレーム後部壁に関節動作を提供する。
【００６６】
内側フレームが第一および第二の内側フレーム端部パネルを備える実施形態では、第一および第二の内側フレーム端部パネルが相互に少なくとも部分的に重なることが好ましく、相互に実質的に完全に重なることが最も好ましい。第一の内側フレーム端部パネルと第二の内側フレーム端部パネルとの重なりは、内側フレーム後部壁の上方部分の少なくとも一部に対して二倍の厚さを提供し、これは内側フレーム後部壁に強度の増加を提供する。
【００６７】
さらなる代替的な実施形態では、各々の層状ブランクは、層状ブランクが折り曲げられた時、第一および第二の内側フレーム後部パネルは内側フレーム後部壁の下方部分を形成してもよく、内側フレームは各々が内側フレーム中間パネルの折り目に沿って第一および第二の内側フレーム後部パネルのそれぞれの上端から延びる第一および第二の内側フレーム中間パネルをさらに備え、第一および第二の内側フレーム中間パネルが内側フレーム後部壁の中間部分を形成するように構成されてもよい。こうした実施形態では、内側フレームは、各々が内側フレーム端部パネルの折り目に沿って第一および第二の内側フレーム中間パネルのそれぞれの上端から延びる第一および第二の内側フレーム端部パネルをさらに備え、第一および第二の内側フレーム端部パネルは内側フレーム後部壁の上方部分を形成し、内側フレーム後部壁の上方部分は、消費財のための容器を形成するために内側フレームが使用される時、リッド部分に接続してもよい内側フレーム後部壁の部分である。
【００６８】
折り目に沿って内側フレーム後部壁の下方部分に従属する内側フレーム後部壁の中間部分、および折り目に沿って内側フレーム後部壁の中間部分に従属する内側フレーム後部壁の上方部分を提供することは、内側フレーム後部壁内に２つの関節点を提供する。２つの関節点を有する内側フレーム後部壁を提供することは、リッド部分の開放と閉鎖との間の、リッド部分の回転的な移動から内側フレームの平行移動的な摺動移動への変換を最適化する場合がある。内側フレーム後部壁が比較的硬い材料で構築される実施形態では、２つの関節点を有する内側フレーム後部壁を提供することは、リッド部分の開放と閉鎖との間に必要とされる内側フレーム後部壁の移動も容易にする場合がある。
【００６９】
内側フレームが第一および第二の内側フレーム中間パネルおよび第一および第二の内側フレーム端部パネルを備える実施形態では、第一および第二の内側フレーム中間パネルは、相互に少なくとも部分的に重なることが好ましく、相互に実質的に完全に重なることが最も好ましい。追加的にまたは別の方法として、第一および第二の内側フレーム端部パネルは相互に少なくとも部分的に重なることが好ましく、相互に実質的に完全に重なることが最も好ましい。第一の内側フレーム中間パネルと第二の内側フレーム中間パネルとの重なりは、内側フレーム後部壁の中間部分の少なくとも一部に対して二倍の厚さを提供し、これは内側フレーム後部壁に強度の増加を提供する。同様に、第一の内側フレーム端部パネルと第二の内側フレーム端部パネルとの重なりは、内側フレーム後部壁の上方部分の少なくとも一部に対して二倍の厚さを提供し、これは内側フレーム後部壁に強度の増加を提供する。
【００７０】
上述の実施形態のいずれかでは、各々の層状ブランクは、第一および第二の内側フレーム側部パネルが各々内側フレーム側部パネルの後部端と直角をなして延びる一対の間隔を置いた切断線を備え、各切断線が内側フレーム側部パネルの後部端における近位端と、内側フレーム側部パネルの後部端と内側フレーム側部パネルの折り目との間に位置付けられた遠位端との間に延び、かつ各内側フレーム後部パネルの折り目がそれぞれの一対の間隔を置いた切断線の遠位端の間に延びるように構成されてもよい。切断線および折り目のこうした配列を提供することは、内側フレーム前部パネルと内側フレーム後部壁との間の最小間隔の減少を提供する一方で、内側フレーム前部パネルと内側フレーム後部壁との間の減少された間隔より大きい内側フレーム側部パネルの最大幅を保持する。内側フレーム側部パネルの最大幅がボックス部分側壁の幅と実質的に同一である実施形態では、消費財のための容器を構築するために内側フレームが使用される時に、これは特に有利である。切断線および折り目のこうした配列を提供することは、高速製造機械での内側フレームの製造も容易にする場合がある。
【００７１】
上述の実施形態のいずれかでは、各々の層状ブランクは、内側フレーム前部パネルが内側フレーム前部パネル部分の上端における切り抜き部分および内側フレーム前部パネルの下部端部におけるタブ部分を備えるように形作られることが好ましく、切り抜き部分とタブ部分とは実質的に同一のサイズおよび形状を持つ。切り抜き部分を内側フレーム前部パネルの上部に提供することは、内側フレームの中に収容される消費財へのアクセスを改善する場合があり、したがって消費者による内側フレームからの消費財の取り出しを容易にする場合がある。さらに、対応するタブ部分を内側フレーム前部パネルの下部に提供することは、シート材料からの複数の層状ブランクの製造を容易にする。特に、第一の内側フレーム層状ブランクのタブ部分およびこれに続く内側フレーム層状ブランクの切り抜き部分を形成するためにシート材料内の単一の切断線を使用することができ、これは廃材の発生を減少または除去する。
【００７２】
内側フレームが切り抜き部分およびタブ部分を備える実施形態では、各々の層状ブランクは、層状ブランクが折り曲げられた時、タブ部分は内側フレーム底部パネルの折り目に沿って内側フレーム前部パネルの下部端に従属する内側フレーム底部パネルを形成するように構成されてもよい。こうした実施形態では、内側フレーム底部パネルは、内側フレーム底部壁の少なくとも一部を形成する。有利なことに、内側フレーム底部壁は、内側フレームの中に受けられた消費財を支持しうる。
【００７３】
タブ部分が内側フレーム底部パネルを形成する実施形態では、各々の層状ブランクは、層状ブランクが折り曲げられた時、タブ部分が第三の内側フレーム後部パネルの折り目に沿って内側フレーム底部パネルの後部端に従属する第三の内側フレーム後部パネルをさらに形成し、第三の内側フレーム後部パネルが内側フレーム後部壁の一部を形成するように第一および第二の内側フレーム後部パネルのうちの少なくとも１つに接続されるように構成されてもよい。有利なことに、第三の内側フレーム後部パネルは、内側フレーム底部パネルを定位置に保持するように、内側フレーム底部パネルの後部端を内側フレーム後部壁に固定する。
【００７４】
タブ部分が内側フレーム底部パネルを形成する実施形態の代替として、各々の層状ブランクは、層状ブランクが折り曲げられた時、タブ部分が内側フレーム前部パネルの一部を形成するように構成されてもよい。こうした実施形態は有利なことに、タブ部分が少なくとも内側フレーム底部パネルを形成する実施形態と比較する時、内側フレームを形成するために必要とされる材料の量を減少させうる。
【００７５】
上述の実施形態のいずれかでは、一巻きの層状ブランクを形成しているシート材料は、厚紙から形成されることが好ましく、厚紙の坪量は、約１００グラム／平方メートル〜約３５０グラム／平方メートルであることが最も好ましい。
【００７６】
ここで、以下の添付図面に関して本発明をさらに説明するが、これは例証としてのみである。
【図面の簡単な説明】
【００７７】
【図１】図１は、本発明の第一の実施形態による内側フレームを形成するための層状ブランクを示す。
【図２】図２は、本発明の第二の実施形態による内側フレームを形成するための層状ブランクを示す。
【図３】図３は、本発明の第二の実施形態による内側フレームを形成するための一巻きの層状ブランクの一部を示す。
【図４】図４は、図２の層状ブランクから形成される内側フレームの前方斜視図を示す。
【図５】図５は、図４の内側フレームの後方斜視図を示す。
【図６】図６は、図５および図６の内側フレームを備える容器の、リッド部分が部分的に開いた構成での前方斜視図を示す。
【図７】図７は、図６の容器の、リッドが完全に開いた構成での前方斜視図を示す。
【発明を実施するための形態】
【００７８】
図１は、本発明の第一の実施形態による内側フレームを形成するための層状ブランク１０を示す。実線は、切断線を表し、また破線は折り目または横罫線を表す。
【００７９】
層状ブランク１０は、内側フレーム前部パネル１２と、内側フレーム前部パネル１２の上端にある切り抜き部分１４と、内側フレーム前部パネル１２の下部端部を形成するタブ部分１６とを備える。
【００８０】
第一および第二の内側フレーム側部パネル１８は、内側フレーム側部パネルの折り目２０に沿って内側フレーム前部パネル１２の側端に従属する。内側フレーム側部パネルの折り目２０の上部にある切断線２２は、内側フレーム前部パネルの側端の上部に耳部２４を形成する。消費財のための容器を形成するために使用される内側フレームを形成するために層状ブランク１０が折り曲げられた時、耳部２４は、リッド部分が閉位置である時、リッド部分の所望の形状を維持するために容器のリッド部分と相互に作用してもよい。
【００８１】
第一および第二の内側フレーム後部パネル２６は、内側フレーム後部パネルの折り目２８に沿って第一および第二の内側フレーム側部パネル１８に従属する。各内側フレーム側部パネル１８の後部端から延びる間隔を置いた切断線３０は、それぞれの内側フレーム後部パネルの折り目２８を、それぞれの内側フレーム側部パネルの折り目２０に向けて位置付け、その結果、各内側フレーム後部パネルの折り目２８とそれぞれの内側フレーム側部パネルの折り目２０との間の間隔は、それぞれの内側フレーム側部パネル１８の、内側フレーム側部パネル１８の後部端と内側フレーム側部パネルの折り目２０との間の最大幅より小さい。
【００８２】
第一および第二の内側フレーム中間パネル３２は、内側フレーム中間パネルの折り目３４に沿って第一および第二の内側フレーム後部パネル２６のそれぞれの上端に従属する。第一および第二の内側フレーム端部パネル３６は、内側フレーム端部パネルの折り目３８に沿って第一および第二の内側フレーム中間パネル３２のそれぞれの上端に従属する。
【００８３】
図２は、本発明の第二の実施形態による内側フレームを形成するための層状ブランク１００を示す。層状ブランク１００は、図１を参照して記述される層状ブランク１０と実質的に同一であり、また同様の部品を指定するために同様の参照符号が使用される。
【００８４】
図２に示される層状ブランク１００は、図１を参照して記述される層状ブランク１０とは、内側フレーム前部パネル１２の下部端におけるタブ部分１１６が異なる。特に、タブ部分１１６は、内側フレーム底部パネルの折り目１１９に沿って内側フレーム前部パネル１２の下部端に従属する内側フレーム底部パネル１１７と、第三の内側フレーム後部パネルの折り目１２３に沿って内側フレーム底部パネル１１７の後部端に従属する第三の内側フレーム後部パネル１２１と、を画定する。
【００８５】
図３は、図２に示すような層状ブランク１００の一巻き２００の一部分を示し、一巻きの層状ブランクは、複数の層状ブランク１００がこれから切り出される厚紙のシートを備える。図３に示すように、層状ブランク１００の形状は、各層状ブランクの下流端を形成する切断線が、隣接する層状ブランクの上流端を形成するものである。したがって、シート材料から複数の層状ブランク１００を、廃材を生成することなく切り出すことができる。
【００８６】
図４および図５は、図２に示すような層状ブランク１００から形成された内側フレーム３００を示す。同様の部品を指定するために、同様の参照符号が使用される。
【００８７】
内側フレームは、内側フレーム前部パネル１２と、第一および第二の内側フレーム側部パネル１８と、内側フレーム底部パネル１１７と、内側フレーム後部壁３０２とを備える。内側フレーム後部壁３０２は、第一、第二、および第三の重なる内側フレーム後部パネル２６、１２１から形成される下方部分３０４を備える。内側フレーム後部壁３０２の中間部分３０６は、折り目に沿って内側フレーム後部壁３０２の下方部分３０４の上端に従属し、この中間部分３０６は、第一および第二の重なる内側フレーム中間パネル３２から形成される。内側フレーム後部壁３０２の上方部分３０８は、折り目に沿って内側フレーム後部壁３０２の中間部分３０６の上端に従属し、この上方部分３０８は、第一および第二の重なる内側フレーム端部パネル３６から形成される。
【００８８】
図５に示すように、第一および第二の内側フレーム後部パネルの折り目２８の位置は、内側フレーム前部パネル１２と内側フレーム後部壁３０２との間に最小間隔を提供し、これは各内側フレーム側部パネル１８の、内側フレーム側部パネルの折り目２０と内側フレーム側部パネル１８の後部端との間の最大幅より小さい。
【００８９】
図６および図７は、図４および図５を参照して記述される内側フレーム３００を備える容器４００を示す。容器４００は、ボックス部分前部壁４０４と、第一および第二のボックス部分側壁４０６と、ボックス部分後部壁と、ボックス部分底部壁とを有するボックス部分４０２を備える。容器４００は、ヒンジ線に沿ってボックス部分後部壁の上端に従属するリッド部分４０８をさらに備え、リッド部分４０８は開位置と閉位置との間で移動可能である。
【００９０】
内側フレーム３００は、ボックス部分４０２の中に摺動可能に受けられ、また内側フレーム後部壁３０２の上方部分３０８は、リッド部分４０８の後部壁の内部表面に接着される。
【００９１】
部分的に開いた構成であるリッド部分４０８を示す図６に示すように、リッドが実質的に閉じている時、内側フレーム３００はボックス部分４０２の中で下げられた位置に保持される。リッド部分４０８を完全に開いた構成へと移動すると、内側フレーム後部壁を上向きに引き、したがって内側フレーム３００全体を、図７に示すように、持ち上げられた位置へと持ち上げる。持ち上げられた位置へと内側フレーム３００を持ち上げることは、有利なことに、内側フレーム３００の中に受けられる消費財４１０の束へのアクセスを改善する。持ち上げられた位置へと内側フレーム３００を持ち上げることは、内側フレーム前部パネル１２の上に提供されるしるし４１２を見えるようにすることもでき、内側フレーム３００が下げられた位置である時、このしるし４１２はボックス部分前部壁４０４によって隠される。
【００９２】
図７に示すように、消費財４１０の束によって占められる容積は、容器４００の全容積より小さい。ところが、内側フレーム前部パネル１２と内側フレーム後部壁３０２との間の減少された間隔は、有利なことに、容器４００の中での消費財４１０の束の移動を制限する。
【図１】
0006651527.tif 000002
【図２】
0006651527.tif 000003
【図３】
0006651527.tif 000004
【図４】
0006651527.tif 000005
【図５】
0006651527.tif 000006
【図６】
0006651527.tif 000007
【図７】
0006651527.tif 000008